(57)【特許請求の範囲】
【請求項１】
通話料金が課金される主端末装置と、該主端末装置と同時通話を行う複数の従端末装置と、前記主端末装置及び前記従端末装置の間のデータ通信を媒介する交換局と、を備える通話システムにおいて、
前記主端末装置は、前記複数の従端末装置と行う同時通話を統括的に管理し、前記従端末装置に対して保留、切断又は発信を行なう手段と、前記従端末装置に関する情報を表示する主端末表示手段と、を備え、
前記交換局は、前記主端末装置と複数の前記従端末装置とで構成されるパーティに関するマルチパーティサービス情報を、前記従端末装置に送信するマルチパーティサービス情報送信手段を備え、
前記従端末装置は、前記交換局から送信された前記マルチパーティサービス情報を受信して表示する従端末表示手段を備える、
ことを特徴とする通話システム。
【請求項２】
前記マルチパーティサービス情報送信手段は、前記主端末装置が、前記パーティ内における前記従端末装置を保留又は終話にする際は、当該保留又は終話にされる従端末装置を識別する為の識別情報を含む前記マルチパーティサービス情報を、当該パーティ内における他の従端末装置へ送信することを特徴とする請求項１記載の通話システム。
【請求項３】
前記マルチパーティサービス情報送信手段は、前記主端末装置が、前記パーティ内における前記従端末装置を保留又は終話にする際は、当該保留又は終話にされる従端末装置に対し、前記マルチパーティサービス情報を送信することを特徴とする請求項１記載の通話システム。
【請求項４】
前記マルチパーティサービス情報送信手段は、前記主端末装置が、前記パーティ内における前記従端末装置を保留又は終話にし、当該パーティ外の端末装置に発呼を行った場合、前記主端末装置と、当該パーティ外の端末装置とが通話状態に遷移すると、前記パーティ内の従端末装置へ前記マルチパーティサービス情報を送信することを特徴とする請求項３記載の通話システム。
【請求項５】
前記マルチパーティサービス情報送信手段は、前記主端末装置と通話中又は保留中でない前記パーティ外の端末装置が、前記主端末装置に発信を行い、前記主端末装置と通話状態に遷移したとき、当該パーティ外の端末装置を識別する為の識別情報を含む前記マルチパーティサービス情報を、前記パーティ内の従端末装置へ送信することを特徴とする請求項１記載の通話システム。
【請求項６】
前記マルチパーティサービス情報送信手段は、前記主端末装置と通話中又は保留中でないパーティ外の端末装置が、前記主端末装置に発信を行い、呼待中に入った場合は、前記主端末装置から前記マルチパーティサービス情報を得て、当該パーティ外の端末装置へ、前記マルチパーティサービス情報を送信することを特徴とする請求項１記載の通話システム。
【請求項７】
前記従端末装置は、前記マルチパーティサービス情報を要求する要求手段を更に備え、
前記マルチパーティサービス情報送信手段は、前記要求手段の要求に応じて、前記主端末装置から前記マルチパーティサービス情報を得て、前記マルチパーティサービス情報を前記従端末装置に送信することを特徴とする請求項１記載の通話システム。
【請求項８】
前記マルチパーティサービス情報は、前記主端末装置を識別する為の識別情報、前記パーティ内の従端末装置を識別する為の識別情報、前記パーティにおける前記主端末装置の通話時間、及び課金情報の少なくとも１つを含むことを特徴とする請求項１記載の通話システム。
【発明の詳細な説明】
【０００１】
【発明の属する技術分野】
本発明は、複数の携帯電話等の端末装置間において、相互に同時通話を行う通話システムに関する。
【０００２】
【従来の技術】
従来より、携帯電話等を用いた通話システムには、３者通話機能が付加されたものが提供されている。この種の通話システムにおける３者通話は、図１０に示す様に、１つのマスタ（master）端末１００と２つのスレーブ（slave）端末２０１，２０２、及び交換局３００によって行われる。
【０００３】
マスタ端末１００は、３者通話を統括的に管理するものであり、スレーブ端末２０１，２０２に対して保留、切断、又は発信を適宜行う機能を有する。また、マスタ端末１００には、３者通話における通話料が課金される。また、マスタ端末１００は、スレーブ端末２０１，２０２を識別する為のスレーブ端末識別情報を交換局３００から得て表示することができる。一方、スレーブ端末２０１，２０２は、課金の対象とはならず、対マスタ端末１００の識別情報のみを交換局３００から得て表示することができる。交換局３００は、マスタ端末１００とスレーブ端末２０１，２０２との間に介在して、通話に係るデータの通信を媒介する。
【０００４】
図１１は、上記の様な従来の通話システムの動作シーケンスを示す。予め、マスタ端末１００とスレーブ端末２０１とが通話中であるものとする。この状態において、スレーブ端末２０２のユーザがマスタ端末１００に対する発呼操作を行うと、スレーブ端末２０２から交換局３００を介してマスタ端末１００へと呼設定要求が送信される（ステップＳ８０）。これにより、マスタ端末１００の表示部には、スレーブ端末２０２から呼設定要求があった旨が表示される。
【０００５】
一方、発信を行ったスレーブ端末２０２は、マスタ端末１００の呼出に入った際に、交換局３００からレスポンスを受信する（ステップＳ８１）。これにより、スレーブ端末２０２の表示部には、マスタ端末１００からの応答を待っている呼待中である旨が表示される。このとき、マスタ端末１００は、スレーブ端末２０２が発信した情報を把握できる。
【０００６】
この状態で、マスタ端末１００のユーザが、スレーブ端末２０１を保留にし、スレーブ端末２０２と通話を行う為の操作を行うと、スレーブ端末２０１には保留要求が送信される。これにより、スレーブ端末２０１は、保留中となる（ステップＳ８２）。一方、スレーブ端末２０２には、接続要求が送信される。これにより、スレーブ端末２０２は、接続状態となる（ステップＳ８３）。
【０００７】
このとき、マスタ端末１００の表示部には、図１２に示す様に、スレーブ端末２０１が保留中であること、及びスレーブ端末２０２と通話中であること等の情報が表示されるので、マスタ端末１００のユーザは、通話に参加しているユーザと参加していないユーザとを識別できる。
【０００８】
【発明が解決しようとする課題】
しかしながら、上記の様な従来の通話システムにあっては、マスタ端末１００のユーザが、スレーブ端末２０１，２０２が保留、切断、又は通話状態にされたことを把握するのみであった。
【０００９】
従って、スレーブ端末２０１，２０２のユーザは、当該３者通話に参加しているにも拘らず、他方のスレーブ端末が保留、切断、通話の何れの状態にあるかを全く把握できないという不都合が生じていた。
【００１０】
そこで、本発明の課題は、マルチパーティサービスを使用する通話を円滑且つ快適に行える通話システムを提供することにある。
【００１１】
【課題を解決するための手段】
本発明は、この課題を解決すべく次の様な特徴を備える。なお、次に示す発明特定事項の説明中、括弧書きにより実施の形態に対応する構成を、図面参照符号を付して例示する。
【００１２】
請求項１記載の発明は、通話料金が課金される主端末装置（例えば、マスタ端末１０）と、該主端末装置と同時通話を行う複数の従端末装置（例えば、スレーブ端末２１，２２，２３）と、前記主端末装置及び前記従端末装置の間のデータ通信を媒介する交換局（例えば、交換局３０）と、を備える通話システム（例えば、マルチパーティサービスシステム１）において、
前記主端末装置は、前記複数の従端末装置と行う同時通話を統括的に管理し、前記従端末装置に対して保留、切断又は発信を行なう手段と、前記従端末装置に関する情報を表示する主端末表示手段と、を備え、
前記交換局は、前記主端末装置と複数の前記従端末装置とで構成されるパーティに関するマルチパーティサービス情報を、前記従端末装置に送信するマルチパーティサービス情報送信手段を備え、
前記従端末装置は、前記交換局から送信された前記マルチパーティサービス情報を受信して表示する従端末表示手段を備える、ことを特徴としている。
【００１３】
ここで、マルチパーティサービス情報は、請求項８記載の発明の様に、前記主端末装置を識別する為の識別情報、前記パーティ内の従端末装置を識別する為の識別情報、前記パーティにおける前記主端末装置の通話時間、及び課金情報の少なくとも１つを含むのが好ましい。
【００１４】
請求項１記載の発明によれば、交換局のマルチパーティサービス情報送信手段が、主端末装置と複数の従端末装置とで構成されるパーティに関するマルチパーティサービス情報を、従端末装置に送信するので、従端末装置のユーザは、受信したマルチパーティサービス情報に基づいてパーティの構成を正確且つ容易に把握できる。これにより、主端末装置のユーザのみがパーティの構成を把握し得た従来技術に比して、主端末装置のユーザが会話中に従端末装置のユーザに対し、誰が当該パーティに参加しているかを逐一知らせる必要がなくなるので、パーティ内の通話を円滑且つ快適に行える。
【００１５】
請求項２記載の発明は、請求項１記載の通話システムにおいて、
前記マルチパーティサービス情報送信手段は、前記主端末装置が、前記パーティ内における前記従端末装置を保留又は終話にする際は、当該保留又は終話にされる従端末装置を識別する為の識別情報を含む前記マルチパーティサービス情報を、当該パーティ内における他の従端末装置へ送信することを特徴としている。
【００１６】
請求項２記載の発明によれば、マルチパーティサービス情報送信手段は、主端末装置がパーティ内における従端末装置を保留又は終話にする際は、当該保留又は終話にされる従端末装置を識別する為の識別情報を含む前記マルチパーティサービス情報を、当該パーティ内における他の従端末装置へ送信するので、パーティ内において通話中の従端末装置のユーザは、どの従端末装置が保留又は終話にされたかを、識別情報に基づいてその都度知ることができる。これにより、パーティ内の通話を一層円滑且つ快適に行える。
【００１７】
請求項３記載の発明は、請求項１記載の通話システムにおいて、
前記マルチパーティサービス情報送信手段は、前記主端末装置が、前記パーティ内における前記従端末装置を保留又は終話にする際は、当該保留又は終話にされる従端末装置に対し、前記マルチパーティサービス情報を送信することを特徴としている。
【００１８】
請求項３記載の発明によれば、マルチパーティサービス情報送信手段は、主端末装置がパーティ内における従端末装置を保留又は終話にする際は、当該保留又は終話にされる従端末装置に対しマルチパーティサービス情報を送信するので、従端末装置のユーザは、パーティから保留又は終話にされる場合であっても、そのとき主端末装置のユーザが誰と通話していたかを知ることができるという利便性がある。
【００１９】
請求項４記載の発明は、請求項３記載の通話システムにおいて、
前記マルチパーティサービス情報送信手段は、前記主端末装置が、前記パーティ内における前記従端末装置を保留又は終話にし、当該パーティ外の端末装置に発呼を行った場合、前記主端末装置と、当該パーティ外の端末装置とが通話状態に遷移すると、前記パーティ内の従端末装置へ前記マルチパーティサービス情報を送信することを特徴としている。
【００２０】
請求項４記載の発明によれば、マルチパーティサービス情報送信手段は、主端末装置がパーティ内における従端末装置を保留又は終話にし、当該パーティ外の端末装置に発呼を行った場合、主端末装置と、当該パーティ外の端末装置とが通話状態に遷移すると、パーティ内の従端末装置へマルチパーティサービス情報を送信するので、パーティ内の従端末装置のユーザは、パーティから保留又は終話にされる場合であっても、現在主端末装置のユーザが誰と通話しているかをリアルタイムに把握できるという利便性がある。
【００２１】
請求項５記載の発明は、請求項１記載の通話システムにおいて、
前記マルチパーティサービス情報送信手段は、前記主端末装置と通話中又は保留中でない前記パーティ外の端末装置が、前記主端末装置に発信を行い、前記主端末装置と通話状態に遷移したとき、当該パーティ外の端末装置を識別する為の識別情報を含む前記マルチパーティサービス情報を、前記パーティ内の従端末装置へ送信することを特徴としている。
【００２２】
請求項５記載の発明によれば、マルチパーティサービス情報送信手段は、主端末装置と通話中又は保留中でないパーティ外の端末装置が主端末装置に発信を行い、前記主端末装置と通話状態に遷移したとき、当該パーティ外の端末装置を識別する為の識別情報を含む前記マルチパーティサービス情報をパーティ内の従端末装置へ送信するので、パーティ内において通話中の従端末装置のユーザは、その識別情報に基づいて、誰が主端末装置と通話中に入ったかをその都度把握できるという利便性がある。これにより、会話中に主端末装置のユーザが従端末装置のユーザに対し、誰から発信があり、誰と通話に入ったかを逐一知らせる必要がなくなるので、パーティ内の通話を一層円滑且つ快適に行える。
【００２３】
請求項６記載の発明は、請求項１記載の通話システムにおいて、
前記マルチパーティサービス情報送信手段は、前記主端末装置と通話中又は保留中でないパーティ外の端末装置が、前記主端末装置に発信を行い、呼待中に入った場合は、前記主端末装置から前記マルチパーティサービス情報を得て、当該パーティ外の端末装置へ、前記マルチパーティサービス情報を送信することを特徴としている。
【００２４】
請求項６記載の発明によれば、マルチパーティサービス情報送信手段は、主端末装置と通話中又は保留中でないパーティ外の端末装置が、主端末装置に発信を行い、呼待中に入った場合は、前記主端末装置から前記マルチパーティサービス情報を得て、当該パーティ外の端末装置へマルチパーティサービス情報を送信するので、パーティ外の端末装置のユーザは、当該パーティに参加していなくとも、マルチパーティサービス情報に基づいてパーティの構成を把握できるという利便性がある。
【００２５】
請求項７記載の発明は、請求項１記載の通話システムにおいて、
前記従端末装置は、前記マルチパーティサービス情報を要求する要求手段を更に備え、
前記マルチパーティサービス情報送信手段は、前記要求手段の要求に応じて、前記主端末装置から前記マルチパーティサービス情報を得て、前記マルチパーティサービス情報を前記従端末装置に送信することを特徴としている。
【００２６】
請求項７記載の発明によれば、ユーザは、従端末装置の要求手段にてマルチパーティサービス情報を要求できる。マルチパーティサービス情報送信手段は、要求手段からの要求に応じて、前記主端末装置から前記マルチパーティサービス情報を得て、マルチパーティサービス情報を従端末装置に送信するので、従端末装置のユーザは必要に応じてマルチパーティサービス情報を知ることができるという利便性がある。
【００２７】
一方、従端末装置のユーザが要求手段にてマルチパーティサービス情報を要求しないならば、その従端末装置にマルチパーティサービス情報が送信されることはないので、特に従端末装置のユーザは、マルチパーティサービス情報の受信が煩わしい場合等には便利である。
【００２８】
【発明の実施の形態】
図１は、本発明を適用したマルチパーティサービスシステムの概略構成を示す。このマルチパーティサービスシステム１は、マスタ端末１０、複数のスレーブ端末２１,２２,２３…、交換局３０、及びこれらを接続する通信ネットワークＮを備えて構成される。尚、図１に示す様に、当該マルチパーティサービスシステム１では、３者以上を交えた同時通話サービス（以下、「マルチパーティサービス」と記す。）を行うことができる。
【００２９】
マスタ端末１０は、例えば携帯電話やＰＨＳ等がこれに相当し、マルチパーティサービス中においては課金の対象となる。このマスタ端末１０は、従来技術のマスタ端末１００と同様の動作を行い得るのは勿論であるが、次の様な動作を行う点を最大の特徴としている。
【００３０】
特に、マスタ端末１０は、マルチパーティサービスが行われている最中に、スレーブ端末２１,２２，２３…から、マルチパーティサービスに参加している他のスレーブ端末又は当該マスタ端末１０の電話番号、通話時間、課金情報、及び位置情報の何れかを含む情報（以下、「マルチパーティサービス情報」と記す。）の送信要求を受信した場合は、マルチパーティサービス情報を交換局３０へ提供する。
【００３１】
また、マスタ端末１０は、マルチパーティサービスが行われている最中に、当該マルチパーティサービスに参加していないスレーブ端末から着信を受けたときは、そのスレーブ端末に対して、マルチパーティサービス情報を交換局３０を介して提供する。
【００３２】
スレーブ端末２１,２２，２３…は、例えば携帯電話やＰＨＳ等がこれに相当し、マルチパーティサービス中において課金の対象とはならない。このスレーブ端末２１,２２，２３…は、従来技術のスレーブ端末２０１，２０２と同様の動作を行い得るのは勿論であるが、次の様な動作を行う点を最大の特徴としている。
【００３３】
スレーブ端末２１,２２，２３…は、マルチパーティサービス情報を要求する為の機能を有するキー入力部を有しているので、スレーブ端末のユーザはマルチパーティに参加している最中に、適時マルチパーティサービス情報を要求できる。スレーブ端末は、マルチパーティサービス情報を獲得した場合は、そのマルチパーティサービス情報を、当該スレーブ端末が備える表示部に表示する。
【００３４】
また、スレーブ端末２１,２２，２３…は、マルチパーティサービスに参加していない場合において、マルチパーティサービス中のマスタ端末１０へ発信を行い、呼待中に状態遷移した際には、交換局３０からその時点におけるマルチパーティサービス情報を獲得し、獲得したマルチパーティサービス情報を自らの表示部に表示する。
【００３５】
更に、マルチパーティサービスが行われている最中において、マスタ端末１０が、マルチパーティ内の何れかのスレーブ端末を保留にすると共にマルチパーティ外のスレーブ端末と通話を行う場合は、その保留にされるスレーブ端末は、マスタ端末１０と通話するスレーブ端末の電話番号を含むマルチパーティサービス情報を交換局３０から獲得し、獲得したマルチパーティサービス情報を自らの表示部に表示する。
【００３６】
更に、マスタ端末１０がマルチパーティ内の何れかのスレーブ端末を保留にする場合は、そのマルチパーティ内で保留にされないスレーブ端末は、保留にされるスレーブ端末の電話番号を含むマルチパーティサービス情報を交換局３０から獲得し、獲得したマルチパーティサービス情報を自らの表示部に表示する。
【００３７】
更に、マルチパーティサービスが行われている最中に、マスタ端末１０がマルチパーティ内の何れかのスレーブ端末を終話（切断）にする場合において、そのマルチパーティ内で終話されないスレーブ端末は、終話にされるスレーブ端末の電話番号を含むマルチパーティサービス情報を交換局３０から獲得し、獲得したマルチパーティサービス情報を自らの表示部に表示する。
【００３８】
交換局３０は、マルチパーティを構成するマスタ端末１０とスレーブ端末２１,２２，２３…との間に介在して、マルチパーティサービスを実現すべく、通話路の切替え制御やマルチパーティサービス情報の送受信、その他通話料金の計算等を行う。
【００３９】
以下、図２乃至図９を参照して、当該マルチパーティサービスシステム１の動作について説明する。
【００４０】
図２はマルチパーティサービスシステム１における動作シーケンスの一態様を示す。予め、マスタ端末１０、スレーブ端末２１、及びスレーブ端末２２の３者においてマルチパーティが構成され、相互に通話が行われているものとする。この状態で、マルチパーティ外のスレーブ端末２３のユーザは、マスタ端末１０に対して発呼操作を行う。
【００４１】
これにより、スレーブ端末２３から交換局３０へと、マルチパーティへの参加を要求する旨の信号（呼設定要求）が送信される（ステップＳ１）。交換局３０は、受信した呼設定要求をマスタ端末１０へ送信し（ステップＳ２）、送信が完了すると、スレーブ端末２３へのレスポンスとして、スレーブ端末２３へ呼設定受付を送信する（ステップＳ３）。
【００４２】
次いで、マスタ端末１０は、交換局３０からの呼設定要求のレスポンスとして呼設定確認要求を当該交換局３０に送信する（ステップＳ４）。交換局３０は、マスタ端末１０から呼設定確認要求を受信すると、マスタ端末１０とスレーブ端末２３とが通話を行う為の通話路を確立する。
【００４３】
次いで、マスタ端末１０は、スレーブ端末２３に対して当該マスタ端末１０との通話時間や課金情報等を含むマルチパーティサービス情報を送信するべく、交換局３０へと呼出要求を送信する（ステップＳ５）。交換局３０は、呼出要求を受信すると、マルチパーティサービス情報をスレーブ端末２３へ送信すると共に、当該スレーブ端末２３を、マスタ端末１０からの呼び待ち状態に設定する（ステップＳ６）。
【００４４】
マルチパーティサービス情報を受信したスレーブ端末２３は、その受信したマルチパーティサービス情報を自らの表示部に表示する。ここでスレーブ端末２３の表示部の表示例を図９（ａ）に示す。図９（ａ）において、「マスタ」はマスタ端末１０を表し、「スレーブ＃Ａ」はスレーブ端末２１を表し、「スレーブ＃Ｂ」はスレーブ端末２２を表す。
【００４５】
即ち、現段階においてスレーブ端末２３は、依然として通話には参加しておらず、マスタ端末１０のユーザからの接続を待ち受けているわけであるが、図９（ａ）に示す様に、スレーブ端末２３の表示部には、当該スレーブ端末２３がマスタ端末１０を呼出中であることに加え、現在マルチパーティにおいて通話中のスレーブ端末２１及びスレーブ端末２２の電話番号、通話時間、及び課金情報が表示されるので、スレーブ端末２３のユーザは、通話に参加する前にスレーブ端末２１のユーザとスレーブ端末２２のユーザとが現在通話していることを把握できる。
【００４６】
図３は、図２の動作シーケンスの続きを示す。先ず、マスタ端末１０のユーザはマスタ端末１０において、スレーブ端末２１,２２を保留にする為の操作（例えば、保留キーの押下）を行う。これにより、マスタ端末１０から交換局３０へと、スレーブ端末２１,２２を保留にする旨の保留要求が送信される（ステップＳ７）。
【００４７】
保留要求を受信した交換局３０は、スレーブ端末２１に対して保留要求を送信する（ステップＳ８）と共に、スレーブ端末２２に対して保留要求を送信する（ステップＳ９）。そして、交換局３０は、スレーブ端末２１及びスレーブ端末２２を保留の状態に設定する。このとき、スレーブ端末２１及びスレーブ端末２２の表示部には、当該スレーブ端末２１及びスレーブ端末２２が保留にされた旨が表示される。
【００４８】
一方、交換局３０は、保留要求をスレーブ端末２１及びスレーブ端末２２へ送信し終えると、確認の為の保留確認をレスポンスとしてマスタ端末１０へ送信する（ステップＳ１０）。これにより、マスタ端末１０のユーザは、スレーブ端末２１及びスレーブ端末２２が保留にされたことを確認できる。
【００４９】
ここで、マスタ端末１０のユーザが呼び待ち中のスレーブ端末２３と通話する為の接続操作を行うと、マスタ端末１０から交換局３０へと、スレーブ端末２３を接続する旨の接続要求が送信される（ステップＳ１１）。接続要求を受信した交換局３０は、接続要求をスレーブ端末２３へ送信する（ステップＳ１２）。このとき、スレーブ端末２３の表示部には、マスタ端末１０からの接続要求（接続応答）があった旨が表示される。
【００５０】
一方、接続要求を受信したスレーブ端末２３は、レスポンスとしての接続確認を交換局３０に送信する（ステップＳ１３）。交換局３０は、スレーブ端末２３から接続確認を受信すると、接続確認をマスタ端末１０に送信する（ステップＳ１４）。このとき、マスタ端末１０の表示部には、スレーブ端末２３と接続された旨の表示がされる。
【００５１】
次いで、交換局３０は、マスタ端末１０、スレーブ端末２１,２２の電話番号を含むマルチパーティサービス情報を、スレーブ端末２３へ送信すると共に、マスタ端末１０とスレーブ端末２３とを接続し、これら各端末が相互に通話を行うことができる様にする（ステップＳ１５）。
【００５２】
また、交換局３０は、マスタ端末１０とスレーブ端末２３とが通話状態に遷移した後、現在保留中のスレーブ端末２１及びスレーブ端末２２に対し、スレーブ端末２３の電話番号を含むマルチパーティサービス情報を送信する。マルチパーティサービス情報を受信したスレーブ端末２１及びスレーブ端末２２は、当該マルチパーティサービス情報を表示する。
【００５３】
図４は、マルチパーティサービスシステム１の別の動作シーケンスを示す。予め、マスタ端末１０、スレーブ端末２１、及びスレーブ端末２２の３者によりマルチパーティが構成され、相互に通話が行われているものとする。この状態で、マスタ端末１０のユーザは、スレーブ端末２１及びスレーブ端末２２を保留にする為の操作を行う。
【００５４】
これにより、マスタ端末１０から交換局３０へと、スレーブ端末２１及びスレーブ端末２２を保留にする旨の保留要求が送信される（ステップＳ２０）。保留要求を受信した交換局３０は、スレーブ端末２１に対し、当該スレーブ端末２１が保留にされた旨を知らせる為のマルチパーティサービス情報を送信する（ステップＳ２１）と共に、スレーブ端末２２に対し、当該スレーブ端末２２が保留にされた旨を知らせる為のマルチパーティサービス情報を送信する（ステップＳ２２）。このとき、スレーブ端末２１，２２の表示部には、当該マスタ端末１０から受信したマルチパーティサービス情報が表示される。そして、交換局３０はこれらを保留状態に設定する。
【００５５】
次いで、交換局３０は、保留要求をスレーブ端末２１及びスレーブ端末２２に送信し終えると、確認の為の保留確認をレスポンスとしてマスタ端末１０に送信する（ステップＳ２３）。このとき、マスタ端末の表示部には、スレーブ端末２１及びスレーブ端末２２が保留にされた旨が表示される。
【００５６】
ここで、マスタ端末１０のユーザが、スレーブ端末２３と通話を行う為の発呼操作を行うと、当該マスタ端末１０から交換局３０へと、スレーブ端末２３を接続する旨の呼設定要求が送信される（ステップＳ２４）。呼設定要求を受信した交換局３０は、呼設定要求をスレーブ端末２３へ送信する（ステップＳ２５）。このとき、スレーブ端末２３の表示部には、マスタ端末１０からの発呼があった旨が表示される。
【００５７】
交換局３０は、スレーブ端末２３へ呼設定要求を送信し終えると、マスタ端末１０へのレスポンスとして、当該マスタ端末１０へ呼設定受付を送信する（ステップＳ２６）。一方、呼設定要求を受信したスレーブ端末２３はレスポンスとしての呼設定確認要求を交換局３０に送信する（ステップＳ２７）。呼設定確認要求を受信した交換局は、マスタ端末１０とスレーブ端末２３との通話路を確立する。
【００５８】
ここで、スレーブ端末２３のユーザは、マスタ端末１０と通話する為の接続応答操作を行う。これにより、スレーブ端末２３から交換局３０へと接続応答（呼出要求）が送信される（ステップＳ２８）。接続応答（呼出要求）を受信した交換局３０は、呼出要求をマスタ端末１０に送信する（ステップＳ２９）。
【００５９】
次いで、スレーブ端末２３は、マスタ端末１０と接続するべく接続要求を交換局３０へ送信する（ステップＳ３０）。接続要求を受信した交換局３０は、接続要求をマスタ端末１０に送信する（ステップＳ３１）。このとき、マスタ端末１０の表示部には、スレーブ端末２３との接続がなされた旨の表示がなされる。
【００６０】
また、接続要求を受信したマスタ端末１０は、レスポンスとしての接続確認を交換局３０へ送信する（ステップＳ３２）。接続確認を受信した交換局３０は、マルチパーティサービス情報をスレーブ端末２３に送信する（ステップＳ３３）と共に、マスタ端末１０とスレーブ端末２３とを通話中に設定する。
【００６１】
また、交換局３０は、マスタ端末１０とスレーブ端末２３とが通話に入った際は、現在保留中であるスレーブ端末２１及びスレーブ端末２２に対し、スレーブ端末２３の電話番号を含むマルチパーティサービス情報を送信する（ステップＳ３４及びステップＳ３５）。これにより、スレーブ端末２１又はスレーブ端末２２においても、マスタ端末１０とスレーブ端末２３とが通話中であることを知ることができる。
【００６２】
このとき、スレーブ端末２１，２２の表示部には図９（ｂ）に示す様な情報が表示される。尚、図９（ｂ）において、「マスタ」はマスタ端末１０を表し、「スレーブ＃Ｃ」はスレーブ端末２３を表している。図９（ｂ）に示す様に、スレーブ端末２１，２２の表示部には、当該スレーブ端末２１又はスレーブ端末２２が保留中であることに加え、マスタ端末１０及びスレーブ端末２３の電話番号が表示されるので、保留にされたスレーブ端末２１，２２のユーザは、マスタ端末１０のユーザが現在誰と通話しているかを把握できる。
【００６３】
図５は、マルチパーティサービスシステム１の更に別の動作シーケンスを示す。尚、この図５に示す動作シーケンスは、図４の動作シーケンスの続きであってもよい。図５において、予め、マスタ端末１０とスレーブ端末２３とにおいて通話が行われており、スレーブ端末２１及びスレーブ端末２２は保留中であるものとする。この状態で、マスタ端末１０のユーザは、保留中のスレーブ端末２１及びスレーブ端末２２をマルチパーティに参加させる為の発呼操作を行う。
【００６４】
これにより、マスタ端末１０から交換局３０へと、スレーブ端末２１及びスレーブ端末２２をマルチパーティに参加させる旨のマルチパーティ通話要求が送信される（ステップＳ４０）。マルチパーティ通話要求を受信した交換局３０は、先ず、スレーブ端末２１及びスレーブ端末２２の電話番号を含むマルチパーティサービス情報を、現在通話中のスレーブ端末２３へ送信する（ステップＳ４１）。スレーブ端末２３は、マルチパーティサービス情報を受信すると、そのマルチパーティサービス情報を自らの表示部に表示させる。
【００６５】
次いで、交換局３０は、スレーブ端末２１に対して、保留を解除する為の保留解除要求と、スレーブ端末２２及びスレーブ端末２３の電話番号を含むマルチパーティサービス情報とを送信する（ステップＳ４２）と共に、スレーブ端末２２に対して、保留解除要求と、スレーブ端末２１及びスレーブ端末２３の電話番号を含むマルチパーティサービス情報とを送信する（ステップＳ４３）。マルチパーティサービス情報を受信したスレーブ端末２１及びスレーブ端末２２は、夫々受信したマルチパーティサービス情報を自らの表示部に表示させる。
【００６６】
一方、交換局３０は、スレーブ端末２１及びスレーブ端末２２に対して保留解除要求とマルチパーティサービス情報とを送信し終えると、マスタ端末１０へのレスポンスとして、マスタ端末１０へ保留解除確認を送信する（ステップＳ４４）と共に、マルチパーティ通話が確立された旨のマルチパーティ通話確認を送信する（ステップＳ４５）。かくして、マスタ端末１０、スレーブ端末２１、スレーブ端末２２、スレーブ端末２３の４者においてマルチパーティが構成され、相互に同時通話がなされる。
【００６７】
図６は、マルチパーティサービスシステム１の更に別の動作シーケンスを示す。尚、この図６に示す動作シーケンスは、図５に示す動作シーケンスの続きであってもよい。予め、マスタ端末１０、スレーブ端末２１、スレーブ端末２２、スレーブ端末２３の４者においてマルチパーティが構成され、相互に同時通話が行われているものとする。この状態で、マスタ端末１０のユーザは、スレーブ端末２１を保留にする為の操作を行う。
【００６８】
これにより、マスタ端末１０から交換局３０へ、スレーブ端末２１を保留にする旨のマルチパーティ保留要求が送信される（ステップＳ５１）。マルチーティ保留要求を受信した交換局３０は、マルチパーティ保留要求をスレーブ端末２１に送信すると共に、当該スレーブ端末２１を保留に設定する（ステップＳ５２）。このとき、スレーブ端末２１の表示部には、当該スレーブ端末２１が保留にされた旨が表示される。
【００６９】
交換局３０は、マルチパーティ保留要求を送信し終えると、マスタ端末１０へのレスポンスとしてのマルチパーティ保留確認をマスタ端末１０へ送信する（ステップＳ５３）。
【００７０】
次いで、交換局３０は、スレーブ端末２２及びスレーブ２３に対して、スレーブ端末２１が保留にされた旨を知らせる為のマルチパーティサービス情報を送信する（ステップＳ５４及びステップＳ５５）。これにより、スレーブ端末２２及びスレーブ端末２３のユーザは、スレーブ端末２１が保留にされたことを知ることができる。
【００７１】
このとき、例えばスレーブ端末２２の表示部には、図９（ｃ）に示す様な情報が表示される。尚、図９（ｃ）において、「マスタ」はマスタ端末１０を表し、「スレーブ＃Ｃ」はスレーブ端末２３を表し、「スレーブ＃Ａ」はスレーブ端末２１を表している。
【００７２】
図９（ｃ）に示す様に、スレーブ端末２２の表示部には、当該スレーブ端末２２が通話中であることに加え、通話中のマスタ端末１０及びスレーブ端末２３の電話番号と、保留にされたスレーブ端末２１の電話番号が表示されるので、スレーブ端末２２のユーザは、現在誰が会話に参加しており、誰が保留にされているかを把握できる。
【００７３】
図７は、マルチパーティサービスシステム１の更に別の動作シーケンスを示す。尚、この図７に示す動作シーケンスは、図５に示す動作シーケンスの続きであってもよい。予め、マスタ端末１０、スレーブ端末２１、スレーブ端末２２、スレーブ端末２３の４者においてマルチパーティが構成され、相互に同時通話が行われているものとする。この状態で、マスタ端末１０のユーザは、スレーブ端末２１を当該マルチパーティから一旦切断する為の操作を行う。
【００７４】
これにより、マスタ端末１０から交換局３０へ、スレーブ端末２１を切断する旨の切断要求が送信される（ステップＳ６０）。切断要求を受信した交換局３０は、切断要求をスレーブ端末２１に送信する（ステップＳ６１）。
【００７５】
切断要求を受信したスレーブ端末２１は、レスポンスとして、マルチパーティと当該スレーブ端末２１との通話路の解放（切断）を許諾する旨の解放要求を交換局３０に送信する（ステップＳ６２）。レスポンスとしての解放要求を受信した交換局３０は、解放要求をマスタ端末１０に送信する（ステップＳ６３）。
【００７６】
解放要求をマスタ端末１０に送信した交換局３０は、スレーブ端末２１の切断が確定した旨の解放完了表示信号を当該スレーブ端末２１に送信する（ステップＳ６４）。一方、マスタ端末１０は解放要求を受信すると、スレーブ端末２１の切断を設定した旨の解放完了を交換局３０に送信する（ステップＳ６５）。
【００７７】
次いで、交換局３０は、スレーブ端末２１が終話した旨を知らせる為のマルチパーティサービス情報を、スレーブ端末２２及びスレーブ端末２３へ送信する（ステップＳ６６；ステップＳ６７）。これにより、マスタ端末と通話中のスレーブ端末２２及びスレーブ端末２３において、スレーブ端末２１の終話を認識できる。
【００７８】
このとき、例えばスレーブ端末２２の表示部には、図９（ｄ）に示す様な情報が表示される。尚、図９（ｄ）において、「マスタ」はマスタ端末１０を表し、「スレーブ＃Ｃ」はスレーブ端末２３を表し、「スレーブ＃Ａ」はスレーブ端末２１を表している。
【００７９】
図９（ｄ）に示す様に、スレーブ端末２２の表示部には当該スレーブ端末２２が通話中であることに加え、通話中のマスタ端末１０及びスレーブ端末２３の電話番号と、終話にされたスレーブ端末２１の電話番号が表示されるので、スレーブ端末２２のユーザは、現在誰が会話に参加しており、誰が終話にされたかを一目で把握できる。
【００８０】
図８は、マルチパーティサービスシステム１の更に別の動作シーケンスを示す。尚、この図８に示す動作シーケンスは、図５の動作シーケンスの続きであってもよい。予め、マスタ端末１０、スレーブ端末２１、スレーブ端末２２、スレーブ端末２３の４者においてマルチパーティが構成され、相互に同時通話が行われているものとする。また、上述した実施例では、マルチパーティ外のスレーブ端末からマルチパーティ内に加わろうとする際、マスタ端末１０側の何らかの操作に従って、マルチパーティ内の各スレーブ端末へマルチパーティサービス情報を送信する例を挙げたが、図８においては、マルチパーティ内のスレーブ端末からマルチパーティサービス情報を得る例を挙げている。
【００８１】
同時通話状態で、スレーブ端末２２のユーザは、次の様にマルチパーティサービス情報を獲得する為の操作を行う。これにより、スレーブ端末２２から交換局３０へ、マルチパーティサービス情報を要求する旨の信号が送信される（ステップＳ７０）。マルチパーティサービス情報要求を受信した交換局３０は、マスタ端末１０に対してマルチパーティサービス情報要求を送信する（ステップＳ７１）。
【００８２】
次いで、マスタ端末１０は、スレーブ端末２２へマルチパーティサービス情報を送信させる旨のマルチパーティ情報確認を、交換局３０へ送信する（ステップＳ７２）。マルチパーティ情報確認を受信した交換局３０は、当該マルチパーティに参加中の他のスレーブ端末であるスレーブ端末２１及びスレーブ端末２３の電話番号、通話時間、及び課金情報を含むマルチパーティサービス情報を、スレーブ端末２２へ送信する（ステップＳ７３）。
【００８３】
スレーブ端末２２は、マルチパーティサービス情報を受信すると、その受信したマルチパーティサービス情報を自らの表示部に表示させる。具体的には、スレーブ端末２２の表示部には図９（ｅ）に示す様な情報が表示される。尚、図９（ｅ）において、「マスタ」はマスタ端末１０を表し、「スレーブ＃Ａ」はスレーブ端末２１を表し、「スレーブ＃Ｃ」はスレーブ端末２３を表している。
【００８４】
図９（ｅ）に示す様に、スレーブ端末２２の表示部には、当該スレーブ端末２３が通話中であることに加え、マスタ端末１０及びスレーブ端末２１，２３の電話番号、通話時間、及び課金情報が表示されるので、スレーブ端末２２のユーザは、当該マルチサービスに誰が参加しているかを容易に把握できる。尚、上述した例では、マルチパーティ内のスレーブ端末からのマルチパーティサービス情報要求に対して、マルチパーティサービス情報を確認しているが、定期的にマスタ端末１０や交換局３０から情報を送信する様にしてもよいことは言うまでもない。
【００８５】
以上説明した様に、本実施の形態におけるマルチパーティサービスシステム１によれば、次の様な効果が得られる。
【００８６】
（１）交換局３０が、マスタ装置１０とスレーブ端末２１，２２，２３…とで構成されるマルチパーティに関するマルチパーティサービス情報を、マスタ端末１０のみならず、スレーブ端末２１，２２，２３…にも送信すると共に、スレーブ端末２１，２２，２３…は、送信されるマルチパーティサービス情報を自らの表示部に表示するので、スレーブ端末のユーザはマルチパーティの構成を一目で容易に把握できる。これにより、会話中にマスタ端末１０のユーザがスレーブ端末のユーザに対し、誰が当該パーティに参加しているかを逐一知らせる必要がなくなるので、パーティ内の通話を円滑且つ快適に行える。
【００８７】
（２）交換局３０は、マスタ端末１０がスレーブ端末２１，２２，２３…を保留又は終話にする際は、当該保留又は終話にされるスレーブ端末の電話番号を、当該パーティ内における他のスレーブ端末へ送信するので、パーティ内において通話中のスレーブ端末のユーザは、どのスレーブ端末が保留又は終話にされたかを、交換局３０から送信される電話番号に基づいてその都度知ることができる。これにより、パーティ内の通話を一層円滑且つ快適に行える。
【００８８】
（３）交換局３０は、マスタ端末１０がスレーブ端末２１，２２，２３…を保留又は終話にする際は、当該保留又は終話にされるスレーブ端末に対しマルチマルチパーティサービス情報を報知するので、スレーブ端末のユーザは、パーティから保留又は終話にされる場合であっても、そのときマスタ端末１０のユーザが誰と通話していたかを知ることができるという利便性がある。
【００８９】
（４）交換局３０は、マルチパーティ外のスレーブ端末が、マスタ端末１０に発呼を行う場合は、マルチパーティ外のスレーブ端末がマスタ端末１０と通話状態に遷移した後に、当該マルチパーティ外のスレーブ端末の電話番号を、マルチパーティ内のスレーブ端末へ送信するので、マルチパーティ内において保留中若しくは通話中のスレーブ端末のユーザは、その電話番号に基づいて、誰がマスタ端末１０に発呼したかをその都度把握できるという利便性がある。またこれにより、会話のなかでマスタ端末１０のユーザがスレーブ端末のユーザに対し、誰から発呼があったかを逐一知らせる必要がないので、パーティ内の通話を一層円滑且つ快適に行える。
【００９０】
（５）交換局３０は、パーティ外のスレーブ端末が、マスタ端末１０に発呼を行い、呼待中に入った場合は、当該パーティ外のスレーブ端末へマルチマルチパーティサービス情報を送信するので、パーティ外のスレーブ端末のユーザは、当該パーティに参加していなくとも、マルチマルチパーティサービス情報に基づいてパーティの構成を把握できるという利便性がある。またこれにより、会話のなかでマスタ端末１０のユーザがパーティ外のスレーブ端末のユーザに対し、誰がパーティに参加しているかを逐一知らせる必要がないという利便性がある。
【００９１】
（６）ユーザは、スレーブ端末にてマルチマルチパーティサービス情報を要求できる。交換局３０は、ユーザからの要求に応じてマルチマルチパーティサービス情報をスレーブ端末に送信するので、スレーブ端末のユーザは必要に応じてマルチマルチパーティサービス情報を知ることができるという利便性がある。一方、スレーブ端末のユーザがマルチマルチパーティサービス情報を要求しないならば、そのスレーブ端末にマルチマルチパーティサービス情報が報知されることはないので、特にスレーブ端末のユーザは、マルチマルチパーティサービス情報の報知が煩わしい場合等には便利である。
【００９２】
尚、本実施の形態における記述内容は、本発明を適用したマルチパーティサービスシステム１の好適な一例であり、本発明はこれに限定されるものではない。
【００９３】
例えば、スレーブ端末の表示部には、他のスレーブ端末又はマスタ端末１０の電話番号を表示することとしたが、他のスレーブ端末又はマスタ端末１０を識別できる情報であれば特に電話番号に限定されるものではなく、ユーザ名や特定の図柄を表示する様にしてもよい。
【００９４】
また、マスタ端末１０とスレーブ端末２１，２２，２３の四者にてマルチパーティを構成することとしたが、四者以上の同時通話を行うこともできる。その他、マルチパーティサービスシステム１の細部構成及び動作に関しても、本発明の趣旨を逸脱することのない範囲で適宜に変更可能であることは勿論である。
【００９５】
【発明の効果】
請求項１及び８記載の発明によれば、従端末装置のユーザは、マルチパーティサービス情報に基づいてパーティの構成を確実且つ容易に把握できるので、主端末装置のユーザのみがパーティの構成を把握し得た従来技術に比して、主端末装置のユーザが会話中に従端末装置のユーザに対し、誰が当該パーティに参加しているかを逐一知らせる必要がなくなるから、パーティ内の通話を円滑且つ快適に行える。
【００９６】
請求項２記載の発明によれば、請求項１記載の発明の効果に加え、パーティ内において通話中の従端末装置のユーザは、どの従端末装置が保留又は終話にされたかを、識別情報に基づいてその都度知ることができるので、パーティ内の通話を一層円滑且つ快適に行える。
【００９７】
請求項３記載の発明によれば、請求項１記載の発明の効果に加え、従端末装置のユーザは、パーティから保留又は終話にされる場合であっても、そのとき主端末装置のユーザが誰と通話していたかを知ることができるという利便性がある。
【００９８】
請求項４記載の発明によれば、請求項１記載の発明の効果に加え、パーティ内の従端末装置のユーザは、パーティから保留又は終話にされる場合であっても、現在主端末装置のユーザが誰と通話しているかをリアルタイムに把握できるという利便性がある。
【００９９】
請求項５記載の発明によれば、請求項１記載の発明の効果に加え、パーティ内において通話中の従端末装置のユーザは、その識別情報に基づいて、誰が主端末装置と通話中に入ったかをその都度把握できるので、主端末装置のユーザが会話中に従端末装置のユーザに対し、誰から発信があり、誰と通話に入ったかを逐一知らせる必要がなくなるから、パーティ内の通話を一層円滑且つ快適に行える。
【０１００】
請求項６記載の発明によれば、請求項１記載の発明の効果に加え、パーティ外の端末装置のユーザは、当該パーティに参加していなくとも、マルチパーティサービス情報に基づいてパーティの構成を把握できるので、会話中に主端末装置のユーザがパーティ外の端末装置のユーザに対し、誰がパーティに参加しているかを逐一知らせる必要がなくなるから、パーティ内の通話を一層円滑且つ快適に行える。
【０１０１】
請求項７記載の発明によれば、請求項１記載の発明の効果に加え、従端末装置のユーザは必要に応じてマルチパーティサービス情報を知ることができるという利便性がある。一方、従端末装置のユーザが要求手段にてマルチパーティサービス情報を要求しないならば、その従端末装置にマルチパーティサービス情報が送信されることはないので、従端末装置のユーザは、マルチパーティサービス情報の受信が煩わしい場合等は便利である。
【図面の簡単な説明】
【図１】本発明を適用したマルチパーティサービスシステム１の概略構成を示す図。
【図２】マルチパーティサービスシステム１における動作シーケンスの一態様を示す図。
【図３】図２の動作シーケンスの続きを示す図。
【図４】マルチパーティサービスシステム１における動作シーケンスの更に別の態様を示す図。
【図５】マルチパーティサービスシステム１における動作シーケンスの更に別の態様を示す図。
【図６】マルチパーティサービスシステム１における動作シーケンスの更に別の態様を示す図。
【図７】マルチパーティサービスシステム１における動作シーケンスの更に別の態様を示す図。
【図８】マルチパーティサービスシステム１における動作シーケンスの更に別の態様を示す図。
【図９】スレーブ端末におけるマルチパーティサービス情報の表示態様を示す図。
【図１０】従来技術に係る通話システムの概略構成を示す図。
【図１１】従来技術に係る通話システムの動作シーケンスを示す図。
【図１２】従来技術におけるマスタ端末１００の表示部における表示態様を示す図。
【符号の説明】
１    マルチパーティサービスシステム
１０，１００    マスタ端末
２１，２２，２３，２０１，２０２    スレーブ端末
３０，３００    交換局
【図１】
0004555459.tif 000002
【図２】
0004555459.tif 000003
【図３】
0004555459.tif 000004
【図４】
0004555459.tif 000005
【図５】
0004555459.tif 000006
【図６】
0004555459.tif 000007
【図７】
0004555459.tif 000008
【図８】
0004555459.tif 000009
【図９】
0004555459.tif 000010
【図１０】
0004555459.tif 000011
【図１１】
0004555459.tif 000012
【図１２】
0004555459.tif 000013